(57)【要約】      （修正有）【課題】複数の照明器具を取付けられ、着脱が容易な多機能軌道式照明器具ホルダを提供する。【解決手段】多機能軌道式照明器具ホルダは、支持杆１０及び複数の固定座２０を備える。支持杆１０は、本体部１１と、本体部１１の底部に接続された固定部１２とを有する。本体部１１の外側面には、複数の導入槽１３が周設される。導入槽１３の両側の槽側壁上には、位置規制溝が形成される。固定座２０は、装着ヘッド２１及び係止部材を有する。係止部材の幅は、導入槽１３の槽幅より小さい。係止部材は、一方向から導入槽１３内に係入される。係止部材の長さは、位置規制溝間の間隔より大きく、固定座２０を旋回させて導入槽１３内に延ばし入れた係止部材を位置規制溝内に係入する。係止部材に背中合わせの装着ヘッド２１の側面には、２つの係止ブロックが設けられる。係止ブロックの厚さは、同一の回転方向で低端部から高端部に向かって次第に増大している。【選択図】図２
0003228551.tif 000002
【実用新案登録請求の範囲】
【請求項１】
支持杆と、複数の固定座と、を備えた多機能軌道式照明器具ホルダであって、
前記支持杆は、全体的に長尺状を呈するとともに、本体部と、前記本体部の底部に接続された固定部と、を有し、前記本体部の外側面には、複数の導入槽が周設され、前記導入槽の両側の槽側壁上には、位置規制溝が形成され、
前記固定座は、装着ヘッド及び係止部材を有し、前記係止部材の幅は、前記導入槽の槽幅より小さく、前記係止部材は、一方向から前記導入槽内に係入され、前記係止部材の長さは、前記位置規制溝間の間隔より大きく、前記固定座を旋回させて前記導入槽内に延ばし入れた前記係止部材を前記位置規制溝内に係入し、
前記係止部材に背中合わせの前記装着ヘッドの側面には、２つの係止ブロックが設けられ、前記係止ブロックの厚さは、同一の回転方向で低端部から高端部に向かって次第に増大し、前記固定座を旋回すると、前記係止ブロックが前記位置規制溝内に係入され、前記係止ブロックの厚さが次第に大きくなっているため、前記固定座が次第に締め付けられることを特徴とする、多機能軌道式照明器具ホルダ。
【請求項２】
前記係止ブロック全体は弧形状を呈することを特徴とする請求項１に記載の多機能軌道式照明器具ホルダ。
【請求項３】
前記本体部の外側面には、複数の水平カット面が周設され、
前記水平カット面は、前記本体部の軸方向で延び、
前記導入槽は、前記水平カット面上に形成されることを特徴とする請求項１に記載の多機能軌道式照明器具ホルダ。
【請求項４】
前記固定座は、前記装着ヘッド及び前記係止部材に接続された接続ブロックと、前記装着ヘッドの一側に接続されたアシストハンドルと、を有することを特徴とする請求項１に記載の多機能軌道式照明器具ホルダ。
【請求項５】
前記本体部上には、上下端面に連通する係止孔及び貫通孔が形成され、
前記係止孔は、前記貫通孔の周辺に形成されることを特徴とする請求項１に記載の多機能軌道式照明器具ホルダ。
【請求項６】
上蓋及び下蓋をさらに備え、
前記上蓋及び前記下蓋には、ピンがそれぞれ設けられ、
前記下蓋の中央部には、穿孔が形成され、実際に取付ける際、前記固定部が前記穿孔に挿通され、前記上蓋及び前記下蓋の前記ピンが前記本体部の両端の前記係止孔内に係入されることを特徴とする請求項５に記載の多機能軌道式照明器具ホルダ。
【請求項７】
複数の地面挿入片及び地面挿入ヘッドをさらに備え、
前記地面挿入片及び前記地面挿入ヘッドは、前記支持杆の底部に取付けられることを特徴とする請求項１に記載の多機能軌道式照明器具ホルダ。
【請求項８】
前記固定部の外側面には、雄ねじが設けられ、
前記地面挿入ヘッドの上端には、下向きに延びた装着孔が形成され、
前記装着孔の孔壁には、雌ねじが設けられ、
前記固定部は、前記雄ねじを介して前記地面挿入ヘッドの雌ねじに固定されることを特徴とする請求項７に記載の多機能軌道式照明器具ホルダ。
【請求項９】
地面挿入片は、地面挿入本体と、前記地面挿入本体の端部に接続された接続片と、を有し、
前記接続片の端部には、可動片が設けられ、
前記固定部は、各前記接続片の前記可動片に順次挿通されることを特徴とする請求項１に記載の多機能軌道式照明器具ホルダ。
【請求項１０】
前記地面挿入本体及び前記接続片は、Ｌ字状に成形されることを特徴とする請求項９に記載の多機能軌道式照明器具ホルダ。
【考案の詳細な説明】
【技術分野】
【０００１】
本考案は、支持ホルダに関し、特に、多機能軌道式照明器具ホルダに関するものである。
【背景技術】
【０００２】
ランプホルダとは、その名の通り照明器具を取付けるホルダである。実際に使用するときは、ランプホルダを設定位置に取付けてから、照明器具をランプホルダに取付けることができる。技術レベルの急速な発展に伴い、ランプホルダの設計及び生産が急速に進歩し、ランプは、使用ニーズに応じて変更することができる。従来のランプは、構造が簡素であり、構造全体は融通性が低く、多数の照明器具を取付けるときに、複数のランプホルダを組み合わせる必要があるため、広いスペースを取り、使用コストが沢山かかった。
【考案の概要】
【考案が解決しようとする課題】
【０００３】
本考案の目的は、従来技術の問題点を改善する多機能軌道式照明器具ホルダを提供することにある。
【課題を解決するための手段】
【０００４】
上記課題を解決するために、本考案の第１の形態によれば、支持杆と、複数の固定座と、を備えた多機能軌道式照明器具ホルダであって、前記支持杆は、全体的に長尺状を呈するとともに、本体部と、前記本体部の底部に接続された固定部と、を有し、前記本体部の外側面には、複数の導入槽が周設され、前記導入槽の両側の槽側壁上には、位置規制溝が形成され、前記固定座は、装着ヘッド及び係止部材を有し、前記係止部材の幅は、前記導入槽の槽幅より小さく、前記係止部材は、一方向から前記導入槽内に係入され、前記係止部材の長さは、前記位置規制溝間の間隔より大きく、前記固定座を旋回させて前記導入槽内に延ばし入れた前記係止部材を前記位置規制溝内に係入し、前記係止部材に背中合わせの前記装着ヘッドの側面には、２つの係止ブロックが設けられ、前記係止ブロックの厚さは、同一の回転方向で低端部から高端部に向かって次第に増大し、前記固定座を旋回すると、前記係止ブロックが前記位置規制溝内に係入され、前記係止ブロックの厚さが次第に大きくなっているため、前記固定座が次第に締め付けられることを特徴とする、多機能軌道式照明器具ホルダを提供する。
【０００５】
前記係止ブロック全体は弧形状を呈することが好ましい。
【０００６】
前記本体部の外側面には、複数の水平カット面が周設され、前記水平カット面は、前記本体部の軸方向で延び、前記導入槽は、前記水平カット面上に形成されることが好ましい。
【０００７】
前記固定座は、前記装着ヘッド及び前記係止部材に接続された接続ブロックと、前記装着ヘッドの一側に接続されたアシストハンドルと、を有することが好ましい。
【０００８】
前記本体部上には、上下端面に連通する係止孔及び貫通孔が形成され、前記係止孔は、前記貫通孔の周辺に形成されることが好ましい。
【０００９】
上蓋及び下蓋をさらに備え、前記上蓋及び前記下蓋には、ピンがそれぞれ設けられ、前記下蓋の中央部には、穿孔が形成され、実際に取付ける際、前記固定部が前記穿孔に挿通され、前記上蓋及び前記下蓋の前記ピンが前記本体部の両端の前記係止孔内に係入されることが好ましい。
【００１０】
複数の地面挿入片及び地面挿入ヘッドをさらに備え、前記地面挿入片及び前記地面挿入ヘッドは、前記支持杆の底部に取付けられることが好ましい。
【００１１】
前記固定部の外側面には、雄ねじが設けられ、前記地面挿入ヘッドの上端には、下向きに延びた装着孔が形成され、前記装着孔の孔壁には、雌ねじが設けられ、前記固定部は、前記雄ねじを介して前記地面挿入ヘッドの雌ねじに固定されることが好ましい。
【００１２】
地面挿入片は、地面挿入本体と、前記地面挿入本体の端部に接続された接続片と、を有し、前記接続片の端部には、可動片が設けられ、前記固定部は、各前記接続片の前記可動片に順次挿通されることが好ましい。
【００１３】
前記地面挿入本体及び前記接続片は、Ｌ字状に成形されることが好ましい。
【考案の効果】
【００１４】
本考案は、前記の通りの構成からなるものであり、本考案の多機能軌道式照明器具ホルダは、支持杆上に様々な方向を向いた複数の軌道敷導入槽が形成されている。各導入槽内には、位置規制溝が形成され、使用者が照明方向、取付け高さ、照明器具の数に応じて固定座を支持杆上に取付け、固定座に係止ブロックと支持溝上の位置規制溝とを組み合わせるため、着脱が容易であり、使用し易くて実用的であるため、普及させる価値がある。
【図面の簡単な説明】
【００１５】
【図１】本考案の一実施形態に係る多機能軌道式照明器具ホルダを示す斜視図である。
【図２】図１の多機能軌道式照明器具ホルダを示す分解斜視図である。
【図３】図１の多機能軌道式照明器具ホルダの支持杆を示す平面図である。
【図４】図１の多機能軌道式照明器具ホルダの固定座を示す斜視図である。
【図５】図１の多機能軌道式照明器具ホルダを使用するときに地面挿入片を調整した後の状態を示す斜視図である。
【考案を実施するための形態】
【００１６】
以下、図面により、本考案を具体的に説明する。もっとも、本考案は、かかる図面により限定されるものではない。
【００１７】
図１〜図５を参照する。図１〜図５に示すように、本考案の一実施形態に係る多機能軌道式照明器具ホルダは、少なくとも１つ又は２つ以上の照明器具に取付けるとともに、支持杆１０と、複数の固定座２０と、上蓋３０と、下蓋４０と、複数の地面挿入片５０と、地面挿入ヘッド６０と、を含む。上述した固定座２０は、支持杆１０上に取付けられる。各支持杆１０上には、必要に応じて１つ又は複数の固定座２０が取り付けられる。上述した上蓋３０は、支持杆１０の頂部に取付けられる。上述した下蓋４０、地面挿入片５０及び地面挿入ヘッド６０は、支持杆１０の底部に取付けられる。上述した地面挿入片５０の一端は、下蓋４０と地面挿入ヘッド６０との間に挟設される。
【００１８】
上述した支持杆１０は、全体的に長尺状を呈する。上述した支持杆１０は、本体部１１と、本体部１１の底部に接続された固定部１２と、を含む。上述した本体部１１の外側面には、複数の水平カット面１７が周設される。上述した水平カット面１７は、本体部１１の軸方向で延びる。上述した水平カット面１７上には、導入槽１３が内方に開設される。上述した導入槽１３は、本体部１１の頂面まで延びる。上述した導入槽１３の両側の槽側壁上には、位置規制溝１４が形成される。
【００１９】
上述した固定座２０は、装着ヘッド２１と、係止部材２２と、装着ヘッド２１及び係止部材２２に接続された接続ブロック２３と、装着ヘッド２１の一側に接続されたアシストハンドル２４と、を有する。上述した装着ヘッド２１は、照明器具に取付けられる。上述した係止部材２２全体は、帯状に形成される。上述した係止部材２２の幅は、導入槽１３の槽幅より小さく、係止部材２２を一方向から導入槽１３内に係入する。上述した係止部材２２の長さは、位置規制溝１４間の間隔より大きく、固定座２０を旋回させて導入槽１３内に延ばし入れる係止部材２２を位置規制溝１４内に係入する。上述した係止部材２２に背中合わせの装着ヘッド２１の側面には、２つの係止ブロック２５が設けられる。２つの上述した係止ブロック２５は、係止部材２２の両側に設けられる。係止ブロック２５全体は弧形状を呈する。２つの係止ブロック２５の厚さは、同一の回転方向で低端部２５１から高端部２５２に向かって次第に増大する。固定座２０を旋回するとき、係止ブロック２５を位置規制溝１４内に係入し、係止ブロック２５の厚さが次第に大きくなっているため、固定座２０が次第に締め付けられる。
【００２０】
上述した上蓋３０には、ピン３１が設けられる。上述した下蓋４０には、ピン４１が設けられる。上述した本体部１１上には、上下端面に連通する係止孔１５及び貫通孔１６が形成される。上述した係止孔１５は、貫通孔１６の周辺に形成される。上述した下蓋４０の中央部には、穿孔４２が形成される。実際に取付ける際、上述した固定部１２を穿孔４２に挿通させる。上述した上蓋３０及び下蓋４０のピン３１，４１を本体部１１両端の係止孔１５内に係入し、貫通孔１６を有するため支持杆１０の重さを効果的に減らすことができる。
【００２１】
各地面挿入片５０は、地面挿入本体５２と、地面挿入本体５２の端部に接続された接続片５１と、を含む。上述した地面挿入本体５２及び接続片５１は、Ｌ字状に成形される。上述した接続片５１端部には、可動片５３が設けられる。上述した固定部１２は、各接続片５１の可動片５３に順次挿通される。
【００２２】
本実施形態において、上述した固定部１２は、ねじ部を介して地面挿入ヘッド６０に連結固定される。上述した固定部１２の外側面には、雄ねじが設けられる。上述した地面挿入ヘッド６０の上端には、下向きに延びた装着孔６１が形成される。上述した装着孔６１の孔壁には、雌ねじが設けられる。上述した固定部１２は、雄ねじを介して地面挿入ヘッド６０の雌ねじに固定される。
【００２３】
実際に使用する際、使用環境の地形に応じ、各地面挿入片５０の位置を調節してから、地面挿入片５０及び地面挿入ヘッド６０を地面に挿入し、支持杆１０を固定してから、所望の照明方向及び照明器具の数に応じて固定座２０を支持杆１０上に取付けた後、最後に照明器具を固定座２０上に取付ける。
【００２４】
上述したことから分かるように、本考案の多機能軌道式照明器具ホルダは、支持杆１０上に様々な方向を向いた複数の軌道敷導入槽１３が形成されている。各導入槽１３内には、位置規制溝１４が形成され、使用者が照明方向、取付け高さ、照明器具の数に応じて固定座２０を支持杆１０上に取付け、固定座２０に係止ブロック２５と支持溝上の位置規制溝１４とを組み合わせるため、着脱が容易であり、使用し易くて実用的であるため、普及させる価値がある。
【００２５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２６】
１０  支持杆
１１  本体部
１２  固定部
１３  導入槽
１４  位置規制溝
１５  係止孔
１６  貫通孔
１７  水平カット面
２０  固定座
２１  装着ヘッド
２２  係止部材
２３  接続ブロック
２４  アシストハンドル
２５  係止ブロック
３０  上蓋
３１  ピン
４０  下蓋
４１  ピン
４２  穿孔
５０  地面挿入片
５１  接続片
５２  地面挿入本体
５３  可動片
６０  地面挿入ヘッド
６１  装着孔
２５１  低端部
２５２  高端部
【図１】
0003228551.tif 000003
【図２】
0003228551.tif 000004
【図３】
0003228551.tif 000005
【図４】
0003228551.tif 000006
【図５】
0003228551.tif 000007